(57)【要約】【課題】エンドミルカッタをその安定性に関して改良する。【解決手段】カッタ円周にわたって分布された複数の刃先（６）を有するエンドミルカッタであって、夫々の刃先（６）から直接に円周方向（１０）に延在する凹面状の逃げ面（１１）と、前記逃げ面（１１）における前記刃先（６）とは反対側において前記逃げ面（１１）から直接に延在する支持面（１２）と、を特徴とするエンドミルカッタ。【選択図】図１
2014097575.tif 000002
【特許請求の範囲】
【請求項１】
カッタ円周にわたって分布された複数の刃先（６）を有するエンドミルカッタであって、
夫々の刃先（６）から直接に円周方向（１０）に延在する凹面状の逃げ面（１１）と、
前記逃げ面（１１）における前記刃先（６）とは反対側において前記逃げ面（１１）から直接に延在する支持面（１２）と、
を特徴とするエンドミルカッタ。
【請求項２】
前記支持面（１２）上のコーティングを特徴とする請求項１に記載のエンドミルカッタ。
【請求項３】
前記刃先（６）の領域内でのカッタ外径（５）よりも小さい前記支持面（１２）の領域内でのカッタ外径（５）を特徴とする請求項１または２に記載のエンドミルカッタ。
【請求項４】
隣接する間隙を形成するための、前記支持面（１２）における逃げ面（１１）とは反対側にある、前記支持面（１２）の円筒研削された逃げ部を特徴とする請求項３に記載のエンドミルカッタ。
【請求項５】
丸みを付けられた刃先の角（１５）を特徴とする請求項１〜４のいずれか一項に記載のエンドミルカッタ。
【請求項６】
刃先ベベル（１８）によって安定させられるポジティブすくい角を持つ刃先（６）を特徴とする請求項１〜５の何れか一項に記載のエンドミルカッタ。
【請求項７】
前記刃先（６）の互いに対する不均等なピッチを特徴とする請求項１〜６の何れか一項に記載のエンドミルカッタ。
【請求項８】
個々の前記刃先（６）が互いに重なるような軸方向での前記刃先（６）のずれを特徴とする請求項１〜７の何れか一項に記載のエンドミルカッタ。
【請求項９】
前記刃先（６）と、前記刃先（６）に隣接する前記逃げ面（１１）と、前記支持面（１２）とが、それぞれ超硬ストリップの一部分であり、
１つまたは複数の超硬ストリップが、刃先モジュール（４）と同様に、前記エンドミルカッタの基体（９）に刃先領域でろう付けされることを特徴とする請求項１〜８の何れか一項に記載のエンドミルカッタ。
【請求項１０】
前記エンドミルカッタの中心長手方向軸（１９）の方向に伸び、夫々の刃先モジュールを刃先セグメントに分散するチップブレーカ溝（２０）を特徴とする請求項９に記載のエンドミルカッタ。
【請求項１１】
基体（９）の刃先領域内に挿入することができ、刃先（６）と、逃げ面（１１）と、支持面（１２）とを有する割出しインサートを特徴とする請求項１〜８の何れか一項に記載のエンドミルカッタ。
【請求項１２】
前記エンドミルカッタが、下向き削りカッタであることを特徴とする請求項１〜１１の何れか一項に記載のエンドミルカッタ。
【請求項１３】
材料として硬質カーバイドを特徴とする請求項１〜１２の何れか一項に記載のエンドミルカッタ。
【請求項１４】
被削材をフライス削りするための方法であって、請求項１〜１１の何れか一項のエンドミルカッタを前記被削材と同期して連動させることを特徴とするフライス削りするための方法。
【発明の詳細な説明】
【技術分野】
【０００１】
本発明は、複数刃エンドミルカッタに関する。そのようなエンドミルカッタは、通常、被削材の粗加工および精密加工用の上向き削りカッタとして使用される。機械加工において、被削材は、特別な機械ツールのチャックでクランプされているとは限らない。むしろ、製造中に特別な輸送機器即ち搬送機器から懸架された被削材がそのようなエンドミルカッタによって機械加工されることが通例でもある。例えば、自動車製造において、アクスルキャリアまたは同様のサブアセンブリを単純なスターラップから懸架し、次いでそれらを機械加工することが通例である。
【背景技術】
【０００２】
被削材チャックでの安定なクランプがないため、被削材は非常に不安定にしか懸架されず、それにより、フライス削り中、不安定に懸架されている被削材は、逆方向に回転するフライス削りツールにより振動する。被削材のこの振動は、ツールの刃先の激しい摩耗を直にもたらすことになる。被削材の不規則な振動により、刃先が欠けることさえありえる。この問題に対する不十分な解決策として、切削インサートを有するエンドミルカッタの使用がある。しかし、これらの切削インサートの使用は、ツールのセットアップにかなり時間がかかる。
【発明の概要】
【発明が解決しようとする課題】
【０００３】
これらの欠点から、本発明の目的は、エンドミルカッタをその安定性に関して改良することである。この目的は、装置クレーム１の特徴と方法クレーム１４の特徴を組み合わせることで、発明性のある形で実現される。添付の特許請求の範囲は、一部には、本発明の有利な発展形態を含み、また一部には、それ自体発明性のある本発明の発展形態を含む。
【課題を解決するための手段】
【０００４】
本発明の基本的な考え方は、エンドミルカッタの刃先の各逃げ面の領域内に滑り面を設けることにある。エンドミルカッタの個々の刃先は、カッタの円周にわたって分布されている。ここで、刃先の数は、対象の加工目的に依存する。被削材に対する各刃先の係合により、被削材は振動を受ける。刃先の領域内に設けられた滑り面は、刃先の係合の直後に被削材と接触し、被削材を支持し、それにより被削材の望ましくない振動運動を再び減衰させる。したがって、この滑り面は、本発明において支持面として効果的である。
【０００５】
本発明によれば、刃先の円周方向で隣接する領域は、逃げ面と、逃げ面に隣接する支持面とに二分される。逃げ面は、刃先の確実な切削運動と、所要の切屑除去を保証する。したがって、逃げ面は、一方の側では刃先によって、他方の側では支持面によって画定される。支持面が作用して、刃先の係合によって引き起こされる被削材の振動をある程度は完全に減衰させる。
【０００６】
有利な構成では、支持面が研磨される。さらなる構成では、支持面は、ＰＶＤ薄膜でコーティングされる。これらの手段はすべて、材料蓄積、特に材料接着や、摩擦溶接を防止する働きをする。これらの手段は、支持面が、その支持機能を及ぼすのに加えて、望ましくない二次現象が被削材に生じないようにすることを保証する。
【０００７】
有利な構成では、カッタ外径の領域は、支持面の領域内においては、カッタの刃先の領域内よりもわずかに小さい。この構成は、エンドミルカッタの良好な同心運動を促し、被削材に対するエンドミルカッタの傾きを防止する。エンドミルカッタのこの良好な同心運動挙動は、さらなる構成で提供される支持面の円筒研削された逃げ部によってさらに向上される。
【０００８】
さらに、刃先を安定させ、刃先の寿命を延ばすために、刃先の角に丸みが付けられる。さらに、刃先に刃先ベベルが割り当てられる。上記の刃縁部の丸みと刃先ベベルはどちらも、刃先を保護する働きをする。特に、ここで対象としている懸架された被削材など、振動を生じやすい被削材の場合、刃先のそのような保護が有利である。
【０００９】
ツールの同心運動挙動を安定させ、被削材に対する周期的な振動を回避するために、刃先は、エンドミルカッタの円周にわたって互いに不均等なピッチで配置される。
【００１０】
切削の結果を改良するため、および短い切屑を実現するために、刃先は、互いに重なるように軸方向で互いにずらされる。
【００１１】
本発明によるエンドミルカッタの構成で提案される、超硬ストリップとして構成されてエンドミルカッタの基体にろう接することができる刃先モジュールにおける刃先と、逃げ面と、支持面との組合せは、カッタ基体を耐熱性の「熱間加工用鋼」から製造することができるという利点がある。所定位置にろう接することができる刃先モジュールと同様に、カッタ基体も、その材料特性に関して最適化することができる。ろう接された刃先モジュールまたは切削インサートに関する適切な好ましい材料は、カーバイド、サーメット、セラミック、立方晶窒化ホウ素（ＣＢＮ）、または多結晶ダイヤモンド（ＰＣＤ）である。
【００１２】
さらなる有利な構成では、刃先モジュールは、複数の刃先セグメントに分割される。このために、各刃先モジュールは、エンドミルカッタの中心長手方向軸に対して横方向に延びるチップブレーカ溝を有する。チップブレーカ溝は、それらの間にそれぞれの刃先セグメントを形成する。有利な構成では、チップブレーカ溝は、刃先と同様に、軸方向で互いにずらされるように配置されて、良好な切屑切断、したがって短い切屑の生成を保証する。
【００１３】
代替構成では、同様に、上記の要素、すなわち刃先、逃げ面、および支持面を、切削インサート、特に割出し可能切削インサートにおいて構成することが可能であり、そのような切削インサートの使用に関連する利点を同様に本発明に利用できる。
【００１４】
さらなる構成では、例えばカーバイドからなる、または高速度鋼（ＨＳＳ）からなる、またはそれに匹敵する材料からなる、刃先と、隣接する逃げ面と、さらに隣接する支持面との本発明による構成を有する超硬エンドミルカッタを製造することができる。固体材料から製造され、本発明による特徴を有するカッタが特に有利であると考えられる。
【００１５】
有利には、本発明によるカッタは、下向き削り法の使用を可能にする。通常、不安定にクランプされた被削材の場合には、上向き削り法が使用される。その際、被削材は、機械加工中にフライス削りツールによって押し退けられる。逆方向への運動により、被削材は振動して、びびりを生じやすい。しかし、従来技術によれば、不安定にクランプされた被削材を下向き削り法を使用して機械加工することができるとは考えられていない。なぜなら、下向き削り法では、作用点の領域内でバックラッシュのない機械加工が必要であるからであり、バックラッシュがあるとツールが破損するおそれがある。
【００１６】
本発明によるエンドミルカッタが下向き削り法に使用されるとき、まず、下向き削りカッタが、いわば、加工対象の被削材をカッタに引き寄せる傾向があることが利用される。切削中にカッタの刃先が被削材をエンドミルカッタに引き寄せると、支持面が被削材と係合し、それにより被削材に対してエンドミルカッタを支持し、したがって被削材の振動の発生が効果的に防止される。一方として、カッタの刃先によって被削材に及ぼされる引張り運動と、他方として、支持面の支持効果との組合せが、作用点で、下向き削りに必要なバックラッシュなしでの機械加工をもたらす。
【００１７】
エンドミルカッタは、機械加工において、機械加工すべき被削材表面まで横方向に進み、この表面に沿って平行に、または同一平面内で案内される。機械加工中、加工対象の被削材表面は、被削材の軸方向移動に対するエンドミルカッタの同期回転運動により、いわばエンドミルカッタに引き寄せられる。このようにして被削材がツールに引き寄せられることによって、カッタの個々の刃先に関する切削条件が改良される。エンドミルカッタに被削材を引き寄せることにより横方向に作用する力、およびその力によって引き起こされる振動は、本発明による支持面によって補償される。本発明によるツールにより、ツールの寿命を３〜４倍延ばすことができる。
【００１８】
本発明を、例示的実施形態に関してより詳細に説明する。
【図面の簡単な説明】
【００１９】
【図１】刃先モジュールを有する本発明によるエンドミルカッタの側面図である。
【図２】図１の矢印ＩＩによる図１に示されるエンドミルカッタの前面図である。
【図３ａ】第１の刃先の一体形成されたチップブレーカ溝を有する刃先モジュールの切削領域の詳細図である。
【図３ｂ】エンドミルカッタにおける、図３ａによる第１の刃先からずらされた次の刃先の刃先モジュールの構成および位置を示す図である。
【図３ｃ】図３ａの断面ｃ−ｃを示す図である。
【図４】図１の詳細ＩＶを示す図である。
【図５】図２の詳細Ｖを示す図である。
【図６】インサートシートにねじ留めされた割出し可能超硬インサートを有する本発明によるエンドミルカッタの側面図である。
【図７】図６の断面ＶＩＩＩ−ＶＩＩＩを示す図である。
【発明を実施するための形態】
【００２０】
図１の側面図に示されるエンドミルカッタは、ツールチャック内にクランプするためのクランプシャンク１と、カッタ領域２とからなる。カッタ領域２内には、螺旋溝３と、ろう接された刃先モジュール４を見ることができる。刃先６の領域内でのカッタ外径５も見ることができる。図２の平面図から、この例示的実施形態に示されるカッタが、４つの刃先モジュール４を有する４枚刃エンドミルカッタであることが分かる。刃先モジュール４、したがって刃先６のピッチは不均等である。各場合に、小さなピッチ角７と大きなピッチ角８が交互にある。この例示的実施形態では、小さなピッチ角７は各場合に８３°であり、大きなピッチ角８は各場合に９７°である。
【００２１】
この例示的実施形態ではろう接された超硬ストリップである刃先モジュール４は、熱間加工用鋼からなる基体９にろう接されている。逃げ面１１が、円周方向１０で刃先６に隣接する。支持面１２が、円周方向１０で逃げ面１１に隣接する。
【００２２】
図３ａは、刃先モジュール４の詳細を示す。互いに等間隔で配置された３つのチップブレーカ溝２０が、この刃先モジュール４に一体形成される。これらのチップブレーカ溝２０は、エンドミルカッタの中心長手方向軸１９に対して横方向に延びる。図３ａの下に示された図３ｂは、対応する隣接する刃先の刃先モジュール４を示す。ここで、補助線２１は、隣接する刃先モジュール４のチップブレーカ溝２０がいわば「千鳥配置」であることを示し、すなわち、それらは、エンドミルカッタの中心長手方向１９で互いにずらして配置される。交互の小さなピッチ角７と大きなピッチ角８による不均等なピッチにより、互いにずらされたチップブレーカ溝２０が、短い切断長さの切屑を生成する。
【００２３】
カッタ外径５は、支持面１２の領域内で、刃先６の領域内よりも直径差１３だけ小さい。この例示的実施形態における直径差１３は、０．０４ｍｍである。したがって、エンドミルカッタのカッタ外径５は、支持面１２の領域内では、公称サイズよりも０．０４ｍｍ小さい。最後に、支持面１２の支持面端部１４は、支持面端部１４での逃げ角を形成するために、円筒研削された逃げ部を有する。
【００２４】
刃先６は、その刃先の角１５の領域内で、刃縁部に丸みが付いている。この例示的実施形態では、この刃縁部の丸みは、０．０１ｍｍ〜０．０２ｍｍの刃縁部丸み半径１６を有する。さらに、刃先６は、０．１５ｍｍの刃先ベベル幅１７を有する刃先ベベル１８を有する。さらに、この例示的実施形態に示されるエンドミルカッタは、薄膜コーティングを有する。このコーティングは、０．５〜０．８μｍの範囲内である。コーティングは、エンドミルカッタの耐摩耗性を大幅に高める。
【００２５】
図６および図７による本発明によるエンドミルカッタの第２の例示的実施形態は、やはり、クランプシャンク１と、エンドミルカッタの中心長手方向軸１９の方向でクランプシャンク１に隣接するカッタ領域２とを有する。この実施形態では、割出し可能インサート２２は、対応するインサートシート内でエンドミルカッタに切削体として固定される。割出し可能超硬インサート２２は、固定ねじ２３によってそれらのインサートシート内に保持される。固定ねじ２３は、単に、割出し可能インサート２２を通してインサートシート内にねじ留めされる。割出し可能インサートはそれぞれ、やはり、刃先６と、刃先６に隣接する逃げ面１１と、やはり逃げ面１１に隣接する支持面１２とを有する。この例示的実施形態では、支持面１２は、ＤＣＨＰでコーティングされる。使用される割出し可能インサート２２の数は、カッタの直径に依存する。カッタ外径５は、割出し可能インサート２２を使用することによって変えることができるように設計することができる。
【００２６】
エンドミルカッタは以下のように動作する。まず、刃先６の１つが被削材と係合する。切屑（図示せず）が被削材から切削され、すくい面１１を通って、隣接する溝３内に滑り落ちる。被削材は、下向き削り中に引き寄せられて支持面１２に支持され、したがって、個々の支持面１２は、ガイドストリップと同様に被削材を支持し、それにより被削材が振動するのを防止する。
【図１】
2014097575.tif 000003
【図２】
2014097575.tif 000004
【図３ａ】
2014097575.tif 000005
【図３ｂ】
2014097575.tif 000006
【図３ｃ】
2014097575.tif 000007
【図４】
2014097575.tif 000008
【図５】
2014097575.tif 000009
【図６】
2014097575.tif 000010
【図７】
2014097575.tif 000011